(57)【要約】【課題】ハンドオーバするときの手順と接続局における移動端末の移動管理表を簡略化する。【解決手段】モバイルノードＭＮが２つのカスタマ・エッジＣＥ１、ＣＥ２間をハンドオーバするときにモバイルノードＭＮあてのＩＰパケットをカスタマ・エッジＣＥ１、ＣＥ２にマルチキャストで転送する際、プロバイダ・エッジＰＥは、外部ＩＰネットワークからモバイルノードＭＮあてのＩＰパケットを１つのカスタマ・エッジＣＥ１にユニキャストする場合と複数のカスタマ・エッジＣＥ１、ＣＥ２にマルチキャストする場合とに関係なく、あて先ＭＡＣアドレスのユニキャストアドレスか又はマルチキャストアドレスかを示すビット及びグローバルアドレスか又はローカルアドレスかを示すビットを、それぞれマルチキャストアドレス及びローカルアドレスに設定してカスタマ・エッジＣＥ１、ＣＥ２に転送する。【選択図】図２
2008072369.tif 000002
【特許請求の範囲】
【請求項１】
移動端末と前記移動端末が属する外部ＩＰネットワークとの間を中継するために、前記外部ＩＰネットワークに接続する接続局と、前記移動端末が接続する複数の無線基地局と、前記接続局と前記複数の無線基地局を結ぶ中継局で構成されるアクセスネットワークにおいて、前記移動端末が２つの無線基地局間をハンドオーバするときに前記外部ＩＰネットワークから前記移動端末あてのＩＰパケットを前記無線基地局にマルチキャストで転送するハンドオーバ制御方法であって、
前記接続局は、前記外部ＩＰネットワークから前記移動端末あてのＩＰパケットを１つの無線基地局にユニキャストする場合と前記複数の無線基地局にマルチキャストする場合とに関係なく、あて先ＭＡＣアドレスのユニキャストアドレスか又はマルチキャストアドレスかを示すビット及びグローバルアドレスか又はローカルアドレスかを示すビットを、それぞれマルチキャストアドレス及びローカルアドレスに設定して前記無線基地局に転送することを特徴とするハンドオーバ制御方法。
【請求項２】
前記無線基地局は、前記接続局から受信したアドレスのマルチキャストアドレス及びローカルアドレスをそれぞれ示す各ビットをユニキャストアドレス及びグローバルアドレスに設定して前記移動端末に転送することを特徴とする請求項１に記載のハンドオーバ制御方法。
【請求項３】
移動端末と前記移動端末が属する外部ＩＰネットワークとの間を中継するために、前記外部ＩＰネットワークに接続する接続局と、前記移動端末が接続する複数の無線基地局と、前記接続局と前記複数の無線基地局を結ぶ中継局で構成されるアクセスネットワークにおいて、前記移動端末が２つの無線基地局間をハンドオーバするときに前記外部ＩＰネットワークから前記移動端末あてのＩＰパケットを前記無線基地局にマルチキャストで転送する前記接続局であって、
前記外部ＩＰネットワークから前記移動端末あてのＩＰパケットを１つの無線基地局にユニキャストする場合と複数の無線基地局にマルチキャストする場合とに関係なく、あて先ＭＡＣアドレスのユニキャストアドレスか又はマルチキャストアドレスかを示すビット及びグローバルアドレスか又はローカルアドレスかを示すビットをそれぞれマルチキャストアドレス及びローカルアドレスに設定して前記無線基地局に転送する手段を、
備えた接続局。
【請求項４】
移動端末と前記移動端末が属する外部ＩＰネットワークとの間を中継するために、前記外部ＩＰネットワークに接続する接続局と、前記移動端末が接続する複数の無線基地局と、前記接続局と前記複数の無線基地局を結ぶ中継局で構成されるアクセスネットワークにおいて、前記移動端末が２つの無線基地局間をハンドオーバするときに前記外部ＩＰネットワークから前記移動端末あてのＩＰパケットを前記無線基地局にマルチキャストで転送する際、前記接続局は、前記外部ＩＰネットワークから前記移動端末あてのＩＰパケットを１つの無線基地局にユニキャストする場合と複数の無線基地局にマルチキャストする場合とに関係なく、あて先ＭＡＣアドレスのユニキャストアドレスか又はマルチキャストアドレスかを示すビット及びグローバルアドレスか又はローカルアドレスかを示すビットを、それぞれマルチキャストアドレス及びローカルアドレスに設定して前記無線基地局に転送する場合の前記無線基地局であって、
前記接続局から受信したアドレスのマルチキャストアドレス及びローカルアドレスをそれぞれ示す各ビットをユニキャストアドレス及びグローバルアドレスに設定して前記移動端末に転送する手段を、
備えた無線基地局。
【発明の詳細な説明】
【技術分野】
【０００１】
本発明は、マルチキャストでハンドオーバを行うハンドオーバ制御方法、接続局及び無線基地局に関する。
【背景技術】
【０００２】
図４は従来のハンドオーバ（ＨＯ）手順（例えば下記の特許文献１）を示す説明図である。図４（ａ）は外部ネットワークのアクセスルータＡＲと、外部ネットワークに属する移動端末であるモバイルノードＭＮとの間で通信を中継するネットワーク（Bridged Network）１を示し、ネットワーク１は概略的に、外部のアクセスルータＡＲとの接続を行う接続局であるプロバイダ・エッジＰＥと、モバイルノードＭＮと無線通信を行う無線基地局であるカスタマ・エッジＣＥ１、ＣＥ２、ＣＥ３と、プロバイダ・エッジＰＥとカスタマ・エッジＣＥ１、ＣＥ２、ＣＥ３との間を中継する中継局（Bridge）Ｓ１、Ｓ２を含む。
【０００３】
図４（ａ）に示す矢印及び図４（ｂ）に示すシーケンスは、モバイルノードＭＮがカスタマ・エッジＣＥ１からカスタマ・エッジＣＥ２の配下に移動する場合のハンドオーバ手順を示している。ここで、モバイルノードＭＮのＩＰアドレスは、アクセスルータＡＲの配下で移動しても変わらず、ＨＯ手順はイーサネット（登録商標）マルチキャストによるポイント・ツー・マルチポイント（ｐ２ｍｐ）を利用している。まず、モバイルノードＭＮは、カスタマ・エッジＣＥ１からのビーコンを受信すると（ステップＳ１：以下、図面の丸付き数字はステップ番号を表す）、ビーコン内に含まれるカスタマ・エッジＣＥ１のＩＤを含むユニキャスト（Ｕ）パス設定要求をカスタマ・エッジＣＥ１、中継局Ｓ１を経由してプロバイダ・エッジＰＥに送信する（ステップＳ２）。
【０００４】
プロバイダ・エッジＰＥは、モバイルノードＭＮあてのＩＰアドレスからイーサネット転送フレームのあて先アドレスを生成するためのＩＰアドレス表Ｔ１と、ネットワーク１内のモバイルノードＭＮの移動を管理するための移動管理表Ｔ２を有する。移動管理表Ｔ２はモバイルノードＭＮのＩＤごとにＩＰアドレスと、位置情報（Position）（カスタマ・エッジＣＥ１、ＣＥ２、ＣＥ３のＩＤ）と、ＨＯ状態か否かを示す状態情報(State)と、ユニキャストアドレス／マルチキャストアドレスを管理するためのテーブルである。プロバイダ・エッジＰＥは、ステップＳ２におけるＵパス設定要求を受信すると、ＩＰアドレス表Ｔ１のＩＰアドレスに基づいてイーサネットアドレス（ＭＡＣアドレス）のユニキャストアドレス（図４ではＥＵ１）を生成してＵパスを設定する（ステップＳ３）。これによりプロバイダ・エッジＰＥとモバイルノードＭＮとの間の通信はＵパスで中継される（ステップＳ４）。
【０００５】
次いで、モバイルノードＭＮがカスタマ・エッジＣＥ１、ＣＥ２の両方の配下に移動してカスタマ・エッジＣＥ２（及びＣＥ１）からのビーコンを受信すると（ステップＳ５）、ビーコン内に含まれるカスタマ・エッジＣＥ２のＩＤを含むマルチキャスト（Ｍ）アドレス要求をカスタマ・エッジＣＥ１、中継局Ｓ１を経由してプロバイダ・エッジＰＥに送信する（ステップＳ６）。プロバイダ・エッジＰＥはこのＭパス設定要求を受信すると、ＭアドレスをモバイルノードＭＮに割り当ててこれをモバイルノードＭＮに送信し（ステップＳ７、ステップＳ８）、モバイルノードＭＮはＭアドレスを受信すると、これを自インタフェースに設定して、Ｍパス設定要求をカスタマ・エッジＣＥ１、中継局Ｓ１を経由してプロバイダ・エッジＰＥに送信する（ステップＳ９）。
【０００６】
プロバイダ・エッジＰＥはこのＭパス設定要求を受信すると、移動管理表Ｔ２内のモバイルノードＭＮの位置情報をカスタマ・エッジＣＥ１、ＣＥ２に、また、状態情報を「ＨＯ状態あり（図４（ａ）ではＨＯと表示）」に設定し、また、アドレスをＭアドレス（図ではＭＸ１）に設定してＭパスを設定する（ステップＳ１０）。これにより、プロバイダ・エッジＰＥとモバイルノードＭＮとの間の通信はＭパスで中継される（ステップＳ１１）。このとき、あて先アドレスはＭアドレスに変換される。
【０００７】
次いで、モバイルノードＭＮがカスタマ・エッジＣＥ２からのビーコンのみを受信すると（ステップＳ１２）、ビーコン内に含まれるカスタマ・エッジＣＥ２のＩＤを含むＵパス設定要求をカスタマ・エッジＣＥ２、中継局Ｓ１を経由してプロバイダ・エッジＰＥに送信する（ステップＳ１３）。プロバイダ・エッジＰＥは、このＵパス設定要求を受信すると、移動管理表Ｔ２内のモバイルノードＭＮの位置情報をカスタマ・エッジＣＥ２に、また、状態情報を「ＨＯ状態なし（図４（ａ）では−と表示）」に、また、アドレスをＵアドレス（ＥＵ１）に設定してＵパスを設定する（ステップＳ１４）。これによりプロバイダ・エッジＰＥとモバイルノードＭＮとの間の通信はＵパスで中継される（ステップＳ１５）。
【特許文献１】特開２００３−３７６２６号公報（要約書）
【発明の開示】
【発明が解決しようとする課題】
【０００８】
しかしながら、上記従来技術では、ハンドオーバ時に
・モバイルノードＭＮあてのフレームを移動元のカスタマ・エッジＣＥ１と移動先２のカスタマ・エッジＣＥ２にバイキャストするためには、プロバイダ・エッジＰＥはマルチキャストアドレスを生成する必要がある（ステップＳ７）。
・生成したマルチキャストアドレスをモバイルノードＭＮにシグナルする必要があり（ステップＳ８）、また、モバイルノードＭＮはシグナルされたマルチキャストアドレスを自インタフェースに設定する必要がある（ステップＳ９）。
・マルチキャストが実行されるパスにシグナルを通す必要がある。
・エッジノードであるプロバイダ・エッジＰＥはユニキャストアドレス−マルチキャストアドレス変換表を維持して変換する必要がある（ステップＳ１０）。
【０００９】
本発明は上記従来技術の問題点に鑑み、移動端末が２つの無線基地局間をハンドオーバするときの手順と接続局における移動端末の移動管理表を簡略化することができるハンドオーバ制御方法、接続局及び無線基地局を提供することを目的とする。
【課題を解決するための手段】
【００１０】
本発明は上記目的を達成するために、移動端末と前記移動端末が属する外部ＩＰネットワークとの間を中継するために、前記外部ＩＰネットワークに接続する接続局と、前記移動端末が接続する複数の無線基地局と、前記接続局と前記複数の無線基地局を結ぶ中継局で構成されるアクセスネットワークにおいて、前記移動端末が２つの無線基地局間をハンドオーバするときに前記外部ＩＰネットワークから前記移動端末あてのＩＰパケットを前記無線基地局にマルチキャストで転送するハンドオーバ制御方法であって、
前記接続局は、前記外部ＩＰネットワークから前記移動端末あてのＩＰパケットを１つの無線基地局にユニキャストする場合と前記複数の無線基地局にマルチキャストする場合とに関係なく、あて先ＭＡＣアドレスのユニキャストアドレスか又はマルチキャストアドレスかを示すビット及びグローバルアドレスか又はローカルアドレスかを示すビットを、それぞれマルチキャストアドレス及びローカルアドレスに設定して前記無線基地局に転送するようにした。
上記構成により、１つの無線基地局にユニキャストする場合と複数の無線基地局にマルチキャストする場合とに関係なく、無線基地局に対してはマルチキャストでパケットが転送されるので、ハンドオーバするときの手順と接続局における移動端末の移動管理表を簡略化することができる。
【００１１】
本発明はまた、前記無線基地局が、前記接続局から受信したアドレスのマルチキャストアドレス及びローカルアドレスをそれぞれ示す各ビットをユニキャストアドレス及びグローバルアドレスに設定して前記移動端末に転送するようにした。
この構成により、１つの無線基地局にユニキャストする場合と複数の無線基地局にマルチキャストする場合とに関係なく、無線基地局に対してはマルチキャストでパケットが転送されるので、ハンドオーバするときの手順と接続局における移動端末の移動管理表を簡略化することができる。
【００１２】
また、本発明は上記目的を達成するために、移動端末と前記移動端末が属する外部ＩＰネットワークとの間を中継するために、前記外部ＩＰネットワークに接続する接続局と、前記移動端末が接続する複数の無線基地局と、前記接続局と前記複数の無線基地局を結ぶ中継局で構成されるアクセスネットワークにおいて、前記移動端末が２つの無線基地局間をハンドオーバするときに前記外部ＩＰネットワークから前記移動端末あてのＩＰパケットを前記無線基地局にマルチキャストで転送する前記接続局であって、
前記外部ＩＰネットワークから前記移動端末あてのＩＰパケットを１つの無線基地局にユニキャストする場合と複数の無線基地局にマルチキャストする場合とに関係なく、あて先ＭＡＣアドレスのユニキャストアドレスか又はマルチキャストアドレスかを示すビット及びグローバルアドレスか又はローカルアドレスかを示すビットをそれぞれマルチキャストアドレス及びローカルアドレスに設定して前記無線基地局に転送する手段を、
備えた構成とした。
この構成により、１つの無線基地局にユニキャストする場合と複数の無線基地局にマルチキャストする場合とに関係なく、無線基地局に対してはマルチキャストでパケットが転送されるので、ハンドオーバするときの手順と接続局における移動端末の移動管理表を簡略化することができる。
【００１３】
また、本発明は上記目的を達成するために、移動端末と前記移動端末が属する外部ＩＰネットワークとの間を中継するために、前記外部ＩＰネットワークに接続する接続局と、前記移動端末が接続する複数の無線基地局と、前記接続局と前記複数の無線基地局を結ぶ中継局で構成されるアクセスネットワークにおいて、前記移動端末が２つの無線基地局間をハンドオーバするときに前記外部ＩＰネットワークから前記移動端末あてのＩＰパケットを前記無線基地局にマルチキャストで転送する際、前記接続局は、前記外部ＩＰネットワークから前記移動端末あてのＩＰパケットを１つの無線基地局にユニキャストする場合と複数の無線基地局にマルチキャストする場合とに関係なく、あて先ＭＡＣアドレスのユニキャストアドレスか又はマルチキャストアドレスかを示すビット及びグローバルアドレスか又はローカルアドレスかを示すビットを、それぞれマルチキャストアドレス及びローカルアドレスに設定して前記無線基地局に転送する場合の前記無線基地局であって、
前記接続局から受信したアドレスのマルチキャストアドレス及びローカルアドレスをそれぞれ示す各ビットをユニキャストアドレス及びグローバルアドレスに設定して前記移動端末に転送する手段を備えた構成とした。
この構成により、１つの無線基地局にユニキャストする場合と複数の無線基地局にマルチキャストする場合とに関係なく、無線基地局に対してはマルチキャストでパケットが転送されるので、ハンドオーバするときの手順と接続局における移動端末の移動管理表を簡略化することができる。
【発明の効果】
【００１４】
本発明によれば、１つの無線基地局にユニキャストする場合と複数の無線基地局にマルチキャストする場合とに関係なく、無線基地局に対してはマルチキャストで転送されるので、ハンドオーバするときの手順と接続局における移動端末の移動管理表を簡略化することができる。
【発明を実施するための最良の形態】
【００１５】
以下、図面を参照して本発明の実施の形態について説明する。図１は本発明に係るユニキャストアドレス−マルチキャストアドレス変換を示す説明図である。図１において、イーサネットのアドレス（ＭＡＣアドレス）は４８ビットで構成され、４８ビットのうち先頭の２ビットの１ビット目はユニキャストアドレスか又はマルチキャストアドレスかを表し、２ビット目はグローバルアドレスか又はローカルアドレスかを表す。その他の４６ビットはアドレス部であり、２２ビットのＯＵＩ（Organizationally Unique Identifier）部と２４ビットの組織割当部により構成される。本発明では、外部ＩＰネットワークからモバイルノードあてのＩＰパケットを１つのカスタマ・エッジにユニキャストする場合と複数のカスタマ・エッジにマルチキャストする場合とに関係なく、あて先ＭＡＣアドレスのユニキャストアドレスか又はマルチキャストアドレスかを示すビット及びグローバルアドレスか又はローカルアドレスかを示すビットを、それぞれマルチキャストアドレス及びローカルアドレスに設定する。
【００１６】
＜第１の実施の形態＞
図２は第１の実施の形態のシーケンスを示す。ネットワーク１の構成（プロバイダ・エッジＰＥと、カスタマ・エッジＣＥ１、ＣＥ２、ＣＥ３、中継局Ｓ１、Ｓ２）は従来例と同じであり、また、モバイルノードＭＮがカスタマ・エッジＣＥ１からカスタマ・エッジＣＥ２の配下に移動する場合のハンドオーバ（ＨＯ）手順を説明する。まず、モバイルノードＭＮは、カスタマ・エッジＣＥ１からのビーコンを受信すると（ステップＳ１）、ビーコン内に含まれるカスタマ・エッジＣＥ１のＩＤを含むパス設定要求をカスタマ・エッジＣＥ１、中継局Ｓ１を経由してプロバイダ・エッジＰＥに送信する（ステップＳ２）。
【００１７】
プロバイダ・エッジＰＥは、モバイルノードＭＮあてのＩＰアドレスからイーサネット転送フレームのあて先アドレスを生成するためのＩＰアドレス表Ｔ１と、ネットワーク１内のモバイルノードＭＮの移動を管理するための移動管理表Ｔ２’を有する。移動管理表Ｔ２’は従来例の移動管理表Ｔ２と異なり、モバイルノードＭＮのＩＤごとにＩＰアドレスと、位置情報（カスタマ・エッジＣＥ１、ＣＥ２、ＣＥ３のＩＤ）のみを管理するためのテーブルである。プロバイダ・エッジＰＥは、ステップＳ２におけるパス設定要求を受信すると、ＩＰアドレスからユニキャストアドレス（図２（ａ）ではＥＵ１）を生成し、さらにＭＳＢ(Most Significant Bit：最上位ビット)側２ビットを反転したマルチキャストパスを設定する（ステップＳ３）。すなわち、プロバイダ・エッジＰＥは、外部のアクセスルータＡＲからネットワーク１に入るＩＰパケットに対して、ＭＡＣアドレスのＭＳＢ側２ビットを「００ｂ」から「１１ｂ」に変換することによりマルチキャストアドレス／ローカルアドレスに変換してネットワーク１内に送出する。
【００１８】
さらに、第１の実施の形態では、カスタマ・エッジＣＥ１は、ネットワーク１内からモバイルノードＭＮ側に出るＭＡＣアドレスのＭＳＢ側２ビットを「１１ｂ」から「００ｂ」に変換することによりマルチキャストアドレス／ローカルアドレスをユニキャストアドレス／グローバルアドレスに変換してモバイルノードＭＮに送出する。これにより、第１の実施の形態では、カスタマ・エッジＣＥ１とプロバイダ・エッジＰＥとの間の通信はマルチキャストパスで中継される（ステップＳ４）。
【００１９】
次いで、モバイルノードＭＮがカスタマ・エッジＣＥ１、ＣＥ２の両方の配下に移動してカスタマ・エッジＣＥ２（及びＣＥ１）からのビーコンを受信すると（ステップＳ５）、ビーコン内に含まれるカスタマ・エッジＣＥ２のＩＤを含むパス設定要求をカスタマ・エッジＣＥ２、中継局Ｓ１を経由してプロバイダ・エッジＰＥに送信する（ステップＳ９）。
【００２０】
プロバイダ・エッジＰＥはこのパス設定要求を受信すると、移動管理表Ｔ２’内のモバイルノードＭＮの位置情報をカスタマ・エッジＣＥ１、ＣＥ２に設定してＭパスを設定する（ステップＳ１０）。そして、新たに、カスタマ・エッジＣＥ２はカスタマ・エッジＣＥ１と同様に、ネットワーク１内からモバイルノードＭＮ側に出るアドレスのＭＳＢ側２ビットを「１１ｂ」から「００ｂ」に変換することによりマルチキャストアドレス／ローカルアドレスをユニキャストアドレス／グローバルアドレスに変換してモバイルノードＭＮに送出する。これにより、第１の実施の形態では、カスタマ・エッジＣＥ２とプロバイダ・エッジＰＥとの間の通信もマルチキャストパスで中継される（ステップＳ１１）。
【００２１】
次いで、モバイルノードＭＮがカスタマ・エッジＣＥ２からのビーコンのみを受信すると（ステップＳ１２）、カスタマ・エッジＣＥ２とプロバイダ・エッジＰＥとの間の通信のみがマルチキャストパスで中継される（ステップＳ１５）。
【００２２】
ここで、図１に示すステップ番号の処理は従来例と対応しており、図１では、図４に示す従来例のステップＳ６、Ｓ７、Ｓ８、Ｓ１３、Ｓ１４が不要となる。また、図１における移動管理表Ｔ２’では、従来例の移動管理表Ｔ２におけるＨＯ状態か否かを示す状態情報と、ユニキャストアドレスか又はマルチキャストアドレスを示す情報が不要となる。このため、ＨＯ手順と移動管理表Ｔ２’を共に簡略化することができる。
【００２３】
＜第２の実施の形態＞
図３は第２の実施の形態のシーケンスを示す。ネットワーク１の構成（プロバイダ・エッジＰＥと、カスタマ・エッジＣＥ１、ＣＥ２、ＣＥ３、中継局Ｓ１、Ｓ２）は従来例、図１と同じである。図３を参照しながらモバイルノードＭＮがカスタマ・エッジＣＥ１からカスタマ・エッジＣＥ２の配下に移動する場合のハンドオーバ（ＨＯ）手順を説明する。まず、モバイルノードＭＮは、カスタマ・エッジＣＥ１からのビーコンを受信すると（ステップＳ１）、マルチキャスト（Ｍ）パス設定要求をカスタマ・エッジＣＥ１、中継局Ｓ１を経由してプロバイダ・エッジＰＥに送信する（ステップＳ２）。
【００２４】
プロバイダ・エッジＰＥは第１の実施の形態と同じく、ＩＰアドレス表Ｔ１と移動管理表Ｔ２’を有する。すなわち、移動管理表Ｔ２’は第１の実施の形態と同じく、モバイルノードＭＮのＩＤごとにＩＰアドレスと、位置情報（カスタマ・エッジＣＥ１、ＣＥ２、ＣＥ３のＩＤ）のみを管理するためのテーブルである。プロバイダ・エッジＰＥは、ステップＳ２におけるパス設定要求を受信すると、ＩＰアドレスからユニキャストアドレス（図３（ａ）ではＥＵ１）を生成し、さらにＭＳＢ側２ビットを反転したマルチキャストパスを設定する（ステップＳ３）。すなわち、第１の実施の形態と同じく、プロバイダ・エッジＰＥは、外部のアクセスルータＡＲからネットワーク１に入るＩＰパケットに対して、ＭＡＣアドレスのＭＳＢ側２ビットを「００ｂ」から「１１ｂ」に変換することによりマルチキャストアドレス／ローカルアドレスに変換してネットワーク１内に送出する。
【００２５】
さらに、第２の実施の形態では、カスタマ・エッジＣＥ１はモバイルノードＭＮに対してはユニキャストアドレス−マルチキャストアドレス変換は行わない。すなわち、モバイルノードＭＮ側はカスタマ・エッジＣＥ１からはマルチキャストアドレス（ローカルアドレス）を受信するとともに、カスタマ・エッジＣＥ１に対してマルチキャストアドレス（ローカルアドレス）を送信する。これによりプロバイダ・エッジＰＥとモバイルノードＭＮとの間の通信はマルチキャストパスで中継される（ステップＳ４）。
【００２６】
次いで、モバイルノードＭＮがカスタマ・エッジＣＥ１、ＣＥ２の両方の配下に移動してカスタマ・エッジＣＥ２（及びＣＥ１）からのビーコンを受信すると（ステップＳ５）、Ｍパス設定要求をカスタマ・エッジＣＥ２、中継局Ｓ１を経由してプロバイダ・エッジＰＥに送信する（ステップＳ９）。
【００２７】
プロバイダ・エッジＰＥはこのＭパス設定要求を受信すると、移動管理表Ｔ２’内のモバイルノードＭＮの位置情報をカスタマ・エッジＣＥ１、ＣＥ２に設定してＭパスを設定する（ステップＳ１０）。そして、カスタマ・エッジＣＥ２もカスタマ・エッジＣＥ１と同様に、ユニキャストアドレス−マルチキャストアドレス変換は行わない。すなわち、モバイルノードＭＮ側はカスタマ・エッジＣＥ２からもマルチキャストアドレス（ローカルアドレス）を受信するとともに、カスタマ・エッジＣＥ２に対してマルチキャストアドレス（ローカルアドレス）を送信する。これにより、プロバイダ・エッジＰＥとモバイルノードＭＮとの間の通信はマルチキャストパスで中継される（ステップＳ１１）。次いで、モバイルノードＭＮがカスタマ・エッジＣＥ２からのビーコンのみを受信すると（ステップＳ１２）、プロバイダ・エッジＰＥとモバイルノードＭＮとの間の通信はマルチキャストパスで中継される（ステップＳ１５）。
【００２８】
ここで、第１の実施の形態と同様に、図３に示すステップ番号の処理は図４に示す従来例と対応しており、図３でも、従来例のステップＳ６、Ｓ７、Ｓ８、Ｓ１３、Ｓ１４が不要となる。また、図３における移動管理表Ｔ２’でも、従来例の移動管理表Ｔ２におけるＨＯ状態か否かを示す状態情報と、ユニキャストアドレスか又はマルチキャストアドレスを示す情報が共に不要となる。
【産業上の利用可能性】
【００２９】
本発明は、１つの無線基地局にユニキャストする場合と複数の無線基地局にマルチキャストする場合とに関係なく、無線基地局に対してはマルチキャストで転送されるので、ハンドオーバするときの手順と接続局における移動端末の移動管理表を簡略化することができるという効果を有し、モビリティ通信制御に利用することができる。
【図面の簡単な説明】
【００３０】
【図１】本発明に係るユニキャストアドレス−マルチキャストアドレス変換を示す説明図
【図２】本発明の第１の実施の形態のハンドオーバ制御方法及び接続局を示す説明図であり、（ａ）はネットワーク及び通信手順を示す説明図、（ｂ）は通信手順を示す説明図
【図３】本発明の第２の実施の形態のハンドオーバ制御方法及び接続局を示す説明図であり、（ａ）はネットワーク及び通信手順を示す説明図、（ｂ）は通信手順を示す説明図
【図４】従来のハンドオーバ手順を示す説明図であり、（ａ）はネットワーク及び通信手順を示す説明図、（ｂ）は通信手順を示す説明図
【符号の説明】
【００３１】
ＰＥ  プロバイダ・エッジ（接続局）
ＭＮ  モバイルノード（移動端末）
ＣＥ１、ＣＥ２、ＣＥ３  カスタマ・エッジ（無線基地局）
Ｓ１、Ｓ２  中継局
【図１】
2008072369.tif 000003
【図２】
2008072369.tif 000004
【図３】
2008072369.tif 000005
【図４】
2008072369.tif 000006